(57)【要約】【課題】製造コストの低減化を図ることができる空調システムを提供すること。【解決手段】店舗（１）の内部に導入した外気を供給する除湿空調装置２０を備え、店舗の対象室（２）の内部を陽圧化するための空調システム１０において、店舗の対象室の床面積と、予め設定され、かつ店舗の対象室の室内高さに関連付けられた補正係数と、予め設定された固有係数とを乗じてなる値以上を外気導入量として決定する外気導入量決定部４２と、外気導入量決定部４２により決定された外気導入量となる態様で除湿処理ファン２２５の駆動処理を行う除湿処理ファン駆動処理部４３とを備えたものである。【選択図】        図３
2007232247.tif 000002
【特許請求の範囲】
【請求項１】
店舗の内部に導入した外気を供給する外気供給手段を備え、前記店舗の対象室内を陽圧化するための空調システムにおいて、
前記店舗の対象室の床面積と、予め設定され、かつ前記店舗の対象室の室内高さに関連付けられた補正係数と、予め設定された固有係数とを乗じてなる値以上を前記外気供給手段による外気導入量として決定する決定手段と、
前記決定手段により決定された外気導入量となる態様で前記外気供給手段の制御を行う制御手段と
を備えたことを特徴とする空調システム。
【請求項２】
前記店舗の対象室の出入口近傍における空気の風速を検出する風速検出手段を備え、
前記制御手段は、前記風速検出手段により検出された風速が、予め設定された基準値以上となる態様で前記外気供給手段の制御を行うことを特徴とする請求項１に記載の空調システム。
【発明の詳細な説明】
【技術分野】
【０００１】
本発明は、空調システムに関し、より詳細には、例えばスーパーマーケット、コンビニエンスストア、ショッピングセンター等のような店舗の内部を陽圧化するための空調システムの改良に関する。
【背景技術】
【０００２】
従来、例えばスーパーマーケット、コンビニエンスストア、ショッピングセンター等の店舗の内部を陽圧化するための空調システムとして、次のようなものが知られている。
【０００３】
例えば、対象となる店舗内外の圧力差を検出する圧力検出手段を備え、該圧力検出手段による検出結果に基づき、該店舗内部に外気を供給する外気供給手段の外気導入量を制御するようにした空調システムがある（例えば、特許文献１参照）。
【０００４】
【特許文献１】特開平１０−３１１５５５号公報
【発明の開示】
【発明が解決しようとする課題】
【０００５】
ところが、そのような空調システムでは、店舗内外の圧力差を検出する圧力検出手段による検出結果に基づき、店舗内部への外気導入量を制御しているため、店舗内部および店舗外部に圧力計等の圧力計測機器を設置しなければならない。そのため、そのような空調システムを種々の店舗に適用することを考慮すると、取り扱い部品点数が多くなり、製造コストの増大を招来する虞れがある。
【０００６】
本発明は、上記実情に鑑みて、製造コストの低減化を図ることができる空調システムを提供することを目的とする。
【課題を解決するための手段】
【０００７】
上記目的を達成するために、本発明の請求項１に係る空調システムは、店舗の内部に外気を供給する外気供給手段を備え、前記店舗の対象室内を陽圧化するための空調システムにおいて、前記店舗の対象室の床面積と、予め設定され、かつ前記店舗の対象室の室内高さに関連付けられた補正係数と、予め設定された固有係数とを乗じてなる値以上を前記外気供給手段による外気導入量として決定する決定手段と、前記決定手段により決定された外気導入量となる態様で前記外気供給手段の制御を行う制御手段とを備えたことを特徴とする。
【０００８】
また、本発明の請求項２に係る空調システムは、上述した請求項１において、前記店舗の対象室の出入口近傍における空気の風速を検出する風速検出手段を備え、前記制御手段は、前記風速検出手段により検出された風速が、予め設定された基準値以上となる態様で前記外気供給手段の制御を行うことを特徴とする。
【発明の効果】
【０００９】
本発明に係る空調システムによれば、決定手段が、店舗の対象室の床面積と、予め設定され、かつ店舗の対象室の室内高さに関連付けられた補正係数と、予め設定された固有係数とを乗じてなる値以上を外気供給手段による外気導入量として決定し、制御手段が、決定手段により決定された外気導入量となる態様で外気供給手段の制御を行うので、対象室の内外の圧力差を検出するような圧力計を必要とせず、これにより、取り扱い部品点数を削減することができ、その結果、製造コストの低減化を図ることができるという効果を奏する。
【発明を実施するための最良の形態】
【００１０】
以下に添付図面を参照して、本発明に係る空調システムの好適な実施の形態について詳細に説明する。
【００１１】
図１および図２は、それぞれ本発明の実施の形態における空調システムの要部を模式的に示したものである。これら図１および図２において、空調システム１０は、除湿空調装置（外気供給手段）２０を備えている。
【００１２】
除湿空調装置２０は、店舗１の内部における対象室２への外気導入による換気、除湿、空気調和を行うものである。ここに、店舗１の内部における対象室２には、一の側壁の所定個所に出入口扉３が設けてあり、図には明示しないが、床上には出入口扉３に近い方から、書籍、雑貨、嗜好品等の陳列棚が順に配設してある。また、出入口扉３から離れた内側壁には冷凍冷蔵機器（図示せず）がその壁面を覆いつくす態様で配設してある。この冷凍冷蔵機器は、例えばショーケースのようなものであり、内部に陳列された商品等を冷却するためのものである。また、本実施の形態における対象室２の床面積は、例えば１０００平方メートルであり、対象室２の室内高さは、例えば標準とされる３．５ｍであるとする。
【００１３】
このような店舗１の対象室２は、出入口扉３と反対側の壁面４を介してバックヤード５に隣接している。バックヤード５は、例えば惣菜や簡単な調理物等を調理等するための室である。このバックヤード５は、該バックヤード５を構成する側壁６に配設された換気扇７が稼働している場合には、内部雰囲気を外部に放出している室である。図示の例では、対象室２とバックヤード５とは扉８を介して連通しており、換気扇７が稼働すると、対象室２の内部雰囲気もバックヤード５を介して外部に放出されるようになっている。ここで、図１は、換気扇７が停止している場合を示しており、図２は、換気扇７が稼働している場合を示している。
【００１４】
除湿空調装置２０は、除湿ロータ２１と、除湿処理経路２２と、再生処理経路２３とを備えて構成してある。
【００１５】
除湿ロータ２１は、いわゆるデシカント除湿機であり、円板状に形成した例えば紙やゼオライト系等の水分吸着素子２１１が設けてある。水分吸着素子２１１は、モータ（図示せず）の駆動により回転するものである。より詳細に説明すると、水分吸着素子２１１は、２つに仕切られた空気の流路を構成する水分吸着領域２２４と水分放出領域２３４とを交互に通過する態様で回転するものである。すなわち、水分吸着素子２１１が回転すると、水分吸着領域２２４に位置した部分は水分放出領域２３４に移動し、次いで、再び水分吸着領域２２４に移動することを順次繰り返すことになる。
【００１６】
除湿処理経路２２は、外気取入口２２１から取り入れた空気を、空気吐出口２２２を通じて供給ダクト２４に導くための経路であり、予備冷却器２２３、除湿ロータ２１の水分吸着領域２２４および除湿処理ファン２２５が外気取入口２２１側から順に設けてある。
【００１７】
予備冷却器２２３は、外気取入口２２１を通じて取り入れた空気を予め決められた所定温度に冷却するものである。予備冷却器２２３としては、空気を所定温度に冷却するものであれば特に限定されるものではなく、例えば圧縮機、凝縮器、膨張機構等と冷媒配管を通じて接続され、冷凍サイクルを構成するようなものであっても良い。
【００１８】
除湿ロータ２１の水分吸着領域２２４は、通過する空気の水分を水分吸着素子２１１に吸着させる領域である。これにより、予備冷却器２２３で冷却された空気は、水分吸着領域２２４で除湿される。
【００１９】
上記除湿処理経路２２には、還気取入口２２６が設けてある。還気取入口２２６は、除湿ロータ２１の水分吸着領域２２４の下流側となる該水分吸着領域２２４と除湿処理ファン２２５との間に設けてあり、還気導入経路２２７を通じて店舗１（対象室２）の内部の空気を取り入れるための開口である。この還気導入経路２２７は、店舗１の対象室２の側壁に設けられた空気取入口２２８を通じて該店舗１の内部の空気を取り入れ、還気取入口２２６まで移送するためのものである。
【００２０】
除湿処理ファン２２５は、対象室２の内部に空気（外気）を導入するための送風源となるものである。除湿処理ファン２２５が駆動することにより、外気取入口２２１から外気が取り入れられるとともに、還気取入口２２６から対象室２の内部空気が取り入れられることになる。そして、外気取入口２２１で取り入れられる外気の量と、還気取入口２２６で取り入れられる内部空気の量とは、略等しいものになる。そして、除湿処理ファン２２５により送風された空気は、空気吐出口２２２を通じて供給ダクト２４に供給される。
【００２１】
供給ダクト２４は、吹出口２４１を通じて、除湿空調装置２０の空気吐出口２２２から吐出された空気を店舗１の対象室２の内部に供給するためのものである。
【００２２】
再生処理経路２３は、除湿処理経路２２に並設してあり、再生空気取入口２３１から取り入れた再生空気を、再生空気吐出口２３２を通じて外部に送出するための経路であり、加熱器２３３、除湿ロータ２１の水分放出領域２３４および再生処理ファン２３５が再生空気取入口２３１側から順に設けてある。
【００２３】
加熱器２３３は、例えばヒータ等であり、再生空気取入口２３１を通じて取り入れた空気を加熱するものである。除湿ロータ２１の水分放出領域２３４は、加熱器２３３で加熱された空気が通過することにより、水分吸着素子２１１に水分を放出させて乾燥させるための領域である。再生処理ファン２３５は、水分放出領域２３４を通過した空気を再生空気吐出口２３２を通じて外部に送出するものであり、再生空気を送風する送風源となる。
【００２４】
図３は、本発明の実施の形態における空調システムの制御系を示したブロック図である。この図３において、空調システム１０は、記憶部３０および制御部４０を備えている。
【００２５】
記憶部３０は、各種のデータや、制御部４０による各種処理に必要なデータやプログラムを格納する格納手段（記憶手段）であり、特に本発明に密接に関連するものとしては、補正係数情報３１および固有係数情報３２を備える。
【００２６】
補正係数情報３１は、対象室２の室内高さに関連付けられた補正係数値に関する情報である。ここに、補正係数値は、対象室２の室内高さが標準、例えば３．５ｍの場合には、１．０である。
【００２７】
固有係数情報３２は、固有係数値に関する情報である。ここに、固有係数情報３２に含まれる固有係数値は、要求される対象室２への外気導入量により異なる。本実施の形態で要求される対象室２への外気導入量が毎時２５００立方メートルであるとすると、固有係数情報３２に含まれる固有係数値は、「２．４」および「４．６」の２つである。前者は、例えばバックヤード５の換気扇７が停止していて、対象室２とバックヤード５との間における内部雰囲気の移動が抑制されている場合の固有係数値であり、後者は、例えばバックヤード５の換気扇７が駆動していて、対象室２の内部雰囲気がバックヤード５へ向けて移動している場合の固有係数値である。
【００２８】
制御部４０は、ＯＳ（Operating  System）等の制御プログラム、各種の処理手順等を規定したプログラムおよび所要データを格納するための内部メモリを有し、これらによって種々の処理を実行する処理部であり、特に本発明に密接に関連するものとしては、換気扇監視部４１、外気導入量決定部（決定手段）４２および除湿処理ファン駆動処理部（制御手段）４３を備える。
【００２９】
換気扇監視部４１は、バックヤード５の換気扇７の稼働状態、すなわち、換気扇７が稼働中か否かを監視するものである。
【００３０】
外気導入量決定部４２は、換気扇監視部４１を通じての監視結果に基づいて、外気導入量を決定するものである。より詳細に説明すると、外気導入量決定部４２は、記憶部３０から補正係数情報３１および固有係数情報３２を読み込み、換気扇監視部４１を通じて換気扇７が稼働中であることを確認した場合には、対象室２の床面積（１０００平方メートル）と、補正係数値（１．０）と、固有係数値（２．４）とを乗じてなる値を外気導入量（イ）と決定するものである。すなわち下記式（１）のようになる。
【００３１】
式（１）  外気導入量（イ）＝１０００×１．０×２．４
【００３２】
一方、換気扇監視部４１を通じて換気扇７が停止中であることを確認した場合は、外気導入量決定部４２は、対象室２の床面積（１０００平方メートル）と、補正係数値（１．０）と、固有係数値（４．６）とを乗じてなる値を外気導入量（ロ）と決定するものである。すなわち下記式（２）のようになる。
【００３３】
式（２）  外気導入量（ロ）＝１０００×１．０×４．６
【００３４】
除湿処理ファン駆動処理部４３は、外気導入量決定部４２を通じて決定された外気導入量に相当する量の外気が外気取入口２２１を通じて導入される態様で除湿処理ファン２２５を駆動処理、すなわち除湿処理ファン２２５の回転数を増大させたり、減少させたりするものである。
【００３５】
図４は、本実施の形態における空調システムを構成する制御部の処理内容を示したフローチャートである。かかる図４を参照しながら空調システム１０の動作について説明する。尚、以下においては、除湿ロータ２１を構成する水分吸着素子２１１は回転しており、また予備冷却器２２３、加熱器２３３および再生処理ファン２３５もそれぞれ駆動しているものとして説明する。
【００３６】
制御部４０は、換気扇監視部４１を通じて、換気扇７が稼働中か否かを確認する（ステップＳ１０１）。換気扇７が稼働中の場合には、制御部４０は、外気導入量決定部４２を通じて記憶部３０から補正係数情報３１および固有係数情報３２を読み込み、上記式（１）に基づき外気導入量（イ）を決定する（ステップＳ１０２，ステップＳ１０３）。
【００３７】
外気導入量（イ）を決定したら、制御部４０は、除湿処理ファン駆動処理部４３を通じて、外気取入口２２１を通じて導入される外気の量が外気導入量（イ）となる態様で除湿処理ファン２２５を駆動処理、すなわち除湿処理ファン２２５の回転数を増大させて（ステップＳ１０４）、今回の処理を終了する。
【００３８】
一方、上記ステップＳ１０１において換気扇７が停止中の場合には、制御部４０は、外気導入量決定部４２を通じて記憶部３０から補正係数情報３１および固有係数情報３２を読み込み、上記式（２）に基づき外気導入量（ロ）を決定する（ステップＳ１０５，ステップＳ１０６）。
【００３９】
外気導入量（ロ）を決定したら、制御部４０は、除湿処理ファン駆動処理部４３を通じて、外気取入口２２１を通じて導入される外気の量が外気導入量（ロ）となる態様で除湿処理ファン２２５を駆動処理、すなわち除湿処理ファン２２５の回転数を増大させて（ステップＳ１０７）、今回の処理を終了する。
【００４０】
上記ステップＳ１０４または上記ステップＳ１０７のようにして除湿処理ファン２２５を駆動させることにより、所定量の外気が外気取入口２２１を通じて導入され、導入された外気は、予備冷却器２２３に至る。予備冷却器２２３に至った外気は、該予備冷却器２２３の内部を流れる冷媒が蒸発することにより冷却され、水分吸着領域２２４に至る。その一方、除湿処理ファン２２５の駆動により、所定量、すなわち外気取入口２２１を通じて導入される外気と略等しい量の対象室２の内部空気が空気取入口２２８を通じて取り入れられ、取り入れられた室内空気は、還気導入経路２２７を通過して還気取入口２２６に至る。
【００４１】
水分吸着領域２２４において、空気に含有される水分が水分吸着素子２１１の対応する部分に吸着され、空気の湿度が低下する。すなわち、空気は除湿される。また、水分吸着素子２１１の水分吸着領域２２４に対応する部分に吸着された水分は、水分吸着素子２１１の回転とともに、水分吸着領域２２４から水分放出領域２３４に移動する。
【００４２】
水分吸着領域２２４で除湿された空気（外気）は、除湿処理ファン２２５の駆動により下流側に流れ、還気導入経路２２７を通過し還気取入口２２６に至った室内空気と混合して混合拡散されて所定の温湿度に調整された後、混合空気として空気吐出口２２２を通じて供給ダクト２４に吐出され、供給ダクト２４に吐出された空気は、吹出口２４１を通じて対象室２に供給される。
【００４３】
これによれば、外部に放出される内部雰囲気の量よりも大きい量の空気が対象室２の内部に供給されることになり、対象室２の内部は、大気圧よりも圧力が高い状態、すなわち陽圧化される。
【００４４】
一方、再生処理ファン２３５が駆動することにより、再生空気取入口２３１を通じて空気（外気）が取り入れられ、取り入れられた空気は、加熱器２３３に至る。加熱器２３３に至った空気は、加熱器２３３の内部を流れる湯により加熱されて高温度の空気になり、水分放出領域２３４に至る。
【００４５】
水分放出領域２３４において、加熱器２３３で加熱された空気が通過することにより、水分吸着素子２１１の対応する部分から水分が放出され、該空気の湿度が上昇する。その後、水分放出領域２３４を通過した空気は、再生処理ファン２３５の駆動により、再生空気吐出口２３２を通じて外部に送出される。
【００４６】
水分吸着素子２１１の水分放出領域２３４に対応する部分は、水分が放出されて乾燥するとともに、温度が上昇する。この温度が上昇し、かつ乾燥した水分吸着素子２１１の対応部分は、水分吸着素子２１１の回転とともに、水分放出領域２３４から水分吸着領域２２４に移動し、上述した動作を繰り返す。
【００４７】
上記空調システム１０において、除湿空調装置２０の除湿処理経路２２では、導入した外気を予備冷却器２２３で冷却し、冷却した外気を水分吸着領域２２４に通過させることにより水分吸着素子２１１に水分を吸着させて除湿し、除湿した外気に還気導入経路２２７を通じて別個に導入した内部空気を混合して、対象室２の内部に供給している。また、除湿空調装置２０の再生処理経路２３では、空気を加熱して水分放出領域２３４に通過させることにより水分吸着素子２１１から水分を放出させている。
【００４８】
そして、空調システム１０では、導入した外気を予備冷却器２２３で冷却することにより、空気の相対湿度を上昇させることができる。そのため、相対湿度が高い方が除湿量が高くなる紙やゼオライト等の特性を利用して水分吸着素子２１１での吸着水分量を増加させることができ、これにより、除湿ロータ２１の除湿量の向上を図ることができる。また、水分吸着領域２２４を通過する空気は、除湿される際に発生する吸着熱により温度が上昇することになる。ところが、かかる空気は、水分吸着領域２２４の下流側で、還気導入経路２２７を通じて導入した室内空気と混合されることで、所定の温度に冷却することができる。このように、店舗１の内部に空気を供給するので換気を行うことができ、しかも、所定の温度に冷却・除湿された空気を供給するので店舗１の内部を良好に除湿することができるとともに適温に調整することができる。
【００４９】
以上のような空調システム１０では、対象室２の床面積と、記憶部３０に予め設定され、かつ店舗１の対象室２の室内高さに関連付けられた補正係数と、記憶部３０に予め設定された固有係数とを乗じてなる値が外気導入量となる態様で除湿処理ファン２２５を駆動させて、外気を導入して対象室２の内部を陽圧化させるので、対象室２の内外の圧力差を検出するような圧力計を必要とせず、これにより、取り扱い部品点数を削減することができ、その結果、製造コストの低減化を図ることができる。
【００５０】
また、対象室２の内部を陽圧化することにより、例えば虫や埃等が対象室２の内部に侵入することを有効に抑制でき、店舗１内の衛生状態を良好に保持することができる。
【００５１】
以上本発明の好適な実施の形態について説明したが、本発明はこれに限定されるものではなく、種々の変更を行うことができる。
【００５２】
例えば、上述した実施の形態では、外気導入量は、上記式（１）および上記式（２）により決定されるものであったが、本発明では、外気導入量は、対象室の床面積と、補正係数と、固有係数とを乗じてなる値より大きくても構わない。
【００５３】
また、上述の実施の形態では、換気扇監視部４１を通じて換気扇７の稼働状態を監視して、外気導入量を決定したが、本発明では、換気扇の稼働状態を監視せずに、操作者が入力手段により対象室の床面積、補正係数および固有係数を入力して、これらを乗じてなる値以上を外気導入量として除湿処理ファンを駆動させても良い。
【００５４】
更に、上述の実施の形態では、対象室はバックヤード５に隣接しており、かつ換気扇７が稼働すると、対象室２の内部雰囲気がバックヤード５を介して外部に放出されるようなものについて説明したが、本発明では、対象室がバックヤードと完全に分離しており、換気扇の稼働によっても影響を受けないようなものに適用しても構わないし、バックヤードを備えていない店舗の対象室に適用しても構わない。
【００５５】
また更に、本発明では、対象室の出入口扉近傍に空気の風速、すなわち対象室の内部から外部に向けて流れる空気の風速を検出する風速検出センサを設け、該風速検出センサにより検出される風速の最低値が、予め設定された基準値以上となる態様で除湿処理ファンを駆動処理しても良い。より詳細に説明すると、風速検出センサにより検出された風速の最低値が、予め設定された基準値以上となるか否かを補足的に確認し、基準値以上となる場合には、上述したように外気導入量決定部で決定した外気導入量となる態様で除湿処理ファンを駆動させる一方、基準値未満となる場合には、風速検出部により検出される風速の最低値が基準値以上となるまで除湿処理ファンの回転数を増大させる。これにより、店舗の対象室の内部を確実に陽圧化させることができる。
【産業上の利用可能性】
【００５６】
以上のように、本発明は、例えばスーパーマーケット、コンビニエンスストア、ショッピングセンター等の店舗の対象室内を陽圧化させるための空調システムとして有用である。
【図面の簡単な説明】
【００５７】
【図１】本発明の実施の形態における空調システムの要部を模式的に示した模式図である。
【図２】本発明の実施の形態における空調システムの要部を模式的に示した模式図である。
【図３】本発明の実施の形態における空調システムの制御系を示したブロック図である。
【図４】図３における制御部の処理内容を示したフローチャートである。
【符号の説明】
【００５８】
１０      空調システム
２０      除湿空調装置
２１      除湿ロータ
２１１    水分吸着素子
２２      除湿処理経路
２２１    外気取入口
２２２    空気吐出口
２２３    予備冷却器
２２４    水分吸着領域
２２５    除湿処理ファン
２３      再生処理経路
２４      供給ダクト
２４１    吹出口
３０      記憶部
３１      補正係数情報
３２      固有係数情報
４０      制御部
４１      換気扇監視部
４２      外気導入量決定部
４３      除湿処理ファン駆動処理部
【図１】
2007232247.tif 000003
【図２】
2007232247.tif 000004
【図３】
2007232247.tif 000005
【図４】
2007232247.tif 000006